(57)【要約】      （修正有）【課題】地震等による転倒防止を図ったレベルジャッキを提供する。【解決手段】レベルジャッキＬは、下方に開口部を有する凹形状の座１と、この座１に取り付けられ、上方に向かって突出した雄ネジ部２ａを設けた雄ネジ体２とを備えたレベルジャッキＬであって、座１の裏面側の凹所内に吸着パッド３を取り付けたものである。また、座１の外周縁部の部位に略平坦な面１ｂが形成され、該平坦な面１ｂの下に吸着パッド３が位置している。【選択図】図２
2012218819.tif 000002
【特許請求の範囲】
【請求項１】
下方に開口部を有する凹形状の座と、この座に取り付けられ、上方に向かって突出した雄ネジ部を設けた雄ネジ体とを備えたレベルジャッキであって、
前記座の裏面側の凹所内に吸着パッドを取り付けた
ことを特徴とするレベルジャッキ。
【請求項２】
座の外周縁部の部位に略平坦な面が形成され、該平坦な面の下に吸着パッドが位置している
ことを特徴とする請求項１記載のレベルジャッキ。
【発明の詳細な説明】
【技術分野】
【０００１】
本発明は、レベルジャッキに係り、特に、地震等による転倒防止を図ったレベルジャッキに関する。
【背景技術】
【０００２】
従来、高さ位置を調整するレベルジャッキにあっては、機器、家具等の本体にレベルジャッキを取り付け、本体の高さ調整を行っている。
このレベルジャッキにあっては、下部に滑り止め用のゴムを備えたものがあり、水平方向の揺れに対しては、滑り止め用のゴムの摩擦抵抗により本体の移動を阻止することができる。
【発明の概要】
【発明が解決しようとする課題】
【０００３】
しかしながら、垂直方向の地震等の揺れに対しては、上記の滑り止め用のゴムでは、対応できず、本体が容易に転倒するという問題点があった。
【０００４】
本発明は、上記の問題点を考慮してなされたもので、地震等による転倒防止を図ったレベルジャッキを提供することを目的とする。
【課題を解決するための手段】
【０００５】
請求項１記載のレベルジャッキは、下方に開口部を有する凹形状の座と、この座に取り付けられ、上方に向かって突出した雄ネジ部を設けた雄ネジ体とを備えたレベルジャッキであって、前記座の裏面側の凹所内に吸着パッドを取り付けたものである。
【０００６】
また、請求項２記載のレベルジャッキは、請求項１記載のレベルジャッキにおいて、座の外周縁部の部位に略平坦な面が形成され、該平坦な面の下に吸着パッドが位置しているものである。
【発明の効果】
【０００７】
請求項１記載のレベルジャッキによれば、雄ネジ体に作用する荷重により、雄ネジ体と一体となった座が降下し、座に取り付けられた吸着パッドが載置面に押さえ付けられ、該吸着パッドが扁平状に変形して載置面に密着して吸着するため、地震等による転倒防止を図ることができる。
【０００８】
また、請求項２記載のレベルジャッキによれば、前述した請求項１記載の発明の効果に加え、座の外周縁部の部位に略平坦な面が形成され、該平坦な面の下に吸着パッドが位置しているため、吸着パッドが扁平状に変形して載置面に密着して吸着する際、座の平坦な面全体で吸着パッドを押さえ、吸着パッドの負圧状態を保持することができる。
【図面の簡単な説明】
【０００９】
【図１】図１（ａ）は、本発明の一実施例のレベルジャッキの概略的断面図であり、図１（ｂ）は、図１（ａ）のレベルジャッキの雄ネジ体に矢印方向から荷重が作用した状態の概略的断面図である。
【図２】図２は、図１（ａ）のレベルジャッキを分解して示す概略的分解図である。
【図３】図３は、図１（ａ）のレベルジャッキを本体に取り付けた状態の概略的正面図である。
【図４】図４は、図３の４−４線による概略的断面図である。
【図５】図５は、図３の一部を分解して示す概略的一部分解図である。
【図６】図６は、図３に取り付けられたレベルジャッキで本体のレベルが調整され、吸着パッドが扁平状に変形して載置面に吸着した状態の概略的断面図である。
【図７】図７は、図１（ａ）のレベルジャッキと異なる他の実施例のレベルジャッキの概略的断面図である。
【図８】図８は、図７のレベルジャッキを分解して示す概略的分解図である。
【発明を実施するための形態】
【００１０】
本発明の一実施例のレベルジャッキを図面を参照して説明する。
図１及び図２に示すＬはレベルジャッキで、レベルジャッキＬは、機器、家具等の本体１００（図３、図４、図５及び図６参照)に取り付けられ、高さ位置を調整するために、使用されるものである。
レベルジャッキＬは、下方に開口部を有する凹形状の座１と、この座１に取り付けられ、上方に向かって突出した雄ネジ部２ａを備えた雄ネジ体２と、座１の裏面側の凹所内に取り付けられた吸着パッド３とを有している。
【００１１】
座１は、図１及び図２に示すように、下方に開口部を有する凹形状で、例えば、略逆さ椀形状をなし、中央に取付穴１ａ、吸着パッド３の上に位置する座１の外周縁部の部位に略平坦な面１ｂが形成されている。
雄ネジ体２は、略棒状体で外周に雄ネジ部２ａを備え、一端に取付穴１ａの縁部に係止する膨出した係止部２ｂ、係止部２ｂの中央に穴部２ｃ、穴部２ｃの先端に雌ねじ部２ｄがそれぞれ設けられている。
吸着パッド３は、基部３ａ、基部３ａの下端から広がるように形成したスカート部３ｂを有し、基部３ａの上から下に向かう方向の荷重が作用すると、載置面４に当接したスカート部３ｂは扁平状に変形し、載置面４に密着して吸着するようになっている。
そして、雄ネジ体２の他端２ｅを取付穴１ａを貫通させ、貫通した雄ネジ体２の雄ネジ部２ａにナット５を螺合させ、雄ネジ体２を座１に取り付けるようにしている。
また、基部３ａを穴部２ｃに挿入し、ビス６の先端のネジ部を雌ねじ部２ｄに螺合させて、吸着パッド３を座１に取り付けるようにしている。
【００１２】
従って、上述したレベルジャッキＬによれば、基部３ａの上から下に向かう方向の荷重、つまり、雄ネジ体２に作用する荷重（例えば、後述するレベルジャッキＬが取り付けられた本体１００の自重）により、雄ネジ体２と一体となった座１が降下し、座１に取り付けられた吸着パッド３が載置面４に押さえ付けられ、該吸着パッド３が扁平状に変形して載置面４に密着して吸着するため、地震等による転倒防止を図ることができる。
特に、座１の外周縁部の部位に略平坦な面１ｂが形成され、該平坦な面１ｂの下に吸着パッド３が位置しているため、吸着パッド３が扁平状に変形して載置面４に密着して吸着する際、座１の平坦な面１ｂ全体で吸着パッド３を押さえ、吸着パッド３の負圧状態を保持することができる[図１（ｂ）参照］。
【００１３】
次に示す実施例は、レベルジャッキＬを機器、家具等の本体１００に取り付けた場合について説明する（図３乃至図６参照）。
本体１００の底部にレベルジャッキＬ、キャスターＣが複数取り付けられ，載置面４の所定位置まで移動できるように、レベルジャッキＬの最下位置にある吸着パッド３は載置面４に接触しないように、載置面４より上方にある。なお、レベルジャッキＬは、取付部材７に設けた穴７ａにレベルジャッキＬの雄ネジ体２を通し、穴７ａの上と下に設けたナット８、９で挟持して、本体１００に取り付けられている。
雄ネジ体２の雄ネジ部２ａに螺合するナット９を図示しない工具を使って、吸着パッド３が扁平状に変形し、載置面４に密着して吸着する位置まで降下させ、その後、適宜の高さ位置になるように調整する。該調整後、雄ネジ体２の雄ネジ部２ａに螺合するナット８を取付部材７に対して締め付けるようにして、高さ位置の調整を完了する。
【００１４】
上述した図１及び図２記載のレベルジャッキＬの雄ネジ体２は、回転できる状態で支持されていないが、本願発明にあっては、これに限らず、レベルジャッキＬの雄ネジ体２を回転できる状態で支持するようにしても良い。
即ち、図７及び図８に示すように、レベルジャッキＬは、下方に開口部を有する凹形状、例えば、略逆さ椀形状の座１と、この座１の上側に取り付けられ、上方に向かって突出した雄ネジ部２ａを備えた雄ネジ体２と、座１の裏面側の凹所内に取り付けられた吸着パッド３とを有している。
図７及び図８に示す１０は中間部材で、中間部材１０の一端１０ａは取付穴１ａより突出させる大きさで、突出した側面にネジ部１０ｂを有している。中間部材１０の他端１０ｃは段部１０ｄを介して膨出している。中間部材１０の中央部には、中間部材１０の他端１０ｃから中間部材１０の一端１０ａに向かって貫通する貫通孔１０ｅ、貫通孔１０ｅの中間部材１０の一端１０ａに近い側には、雌ねじ１０ｆが形成されている。
５’はナットで、ナット５’は貫通孔を有し、該貫通孔は、小径開口部５ａ’と大径開口部５ｂ’とを有し、大径開口部  ５ｂ’の側壁には、雌ねじが形成されている。
その結果、ビス６の先端のネジ部を吸着パッド３を介して雌ねじ１０ｆに螺合し、中間部材１０のネジ部１０ｂを雄ネジ体２を介して大径開口部５ｂ’の側壁に形成した雌ねじに螺合して、座１の上に雄ネジ体２を、座１の下に吸着パッド３を、それぞれ取り付けることができる。
このように形成されたレベルジャッキＬにあっても、図５及び図６記載の取付部材７に取り付けることができる。特に、取付部材７の穴７ａの側面に図７記載の雄ネジ部２ａに螺合する雌ねじ（図示せず）を設ければ、雄ネジ体２を図示しない工具を使って、回転させれば、レベルジャッキＬを所定の高さ位置に調整することができる。
【符号の説明】
【００１５】
Ｌ      レベルジャッキ
１      座
２      雄ネジ体
２ａ    雄ネジ部
２      吸着パッド
【図１】
2012218819.tif 000003
【図２】
2012218819.tif 000004
【図３】
2012218819.tif 000005
【図４】
2012218819.tif 000006
【図５】
2012218819.tif 000007
【図６】
2012218819.tif 000008
【図７】
2012218819.tif 000009
【図８】
2012218819.tif 000010